(57)【要約】【課題】空気調和装置の室外ユニットにおいて、室外熱交換器の内部を通過する外気を、室外熱交換器内をほぼ最短距離で通過するようにして、室外ユニットの熱交換性能の向上を図る。【解決手段】室外熱交換器１９ａ，１９ｂと室外ファン２０ａ，２０ｂとを有する熱交換室６０を備えた空気調和装置の室外ユニット１０において、室外ファン２０ａ，２０ｂが熱交換室６０内の空気を吸い出すことにより、室外熱交換器１９ａ，１９ｂを通って熱交換室６０に外気が取り込まれる構成とし、室外熱交換器１９ａ，１９ｂは、複数の長板状のフィンを所定間隔で並べたフィン・アンド・チューブ型の構成を有し、少なくとも一部のフィンには、フィンの幅方向に延びて室外熱交換器１９ａ，１９ｂを通る外気を整流する整流板を、隣接するフィンとの間に突出して形成した。【選択図】図３
2009275991.tif 000002
【特許請求の範囲】
【請求項１】
室外熱交換器と室外ファンとを有する熱交換室を備えた空気調和装置の室外ユニットにおいて、
前記室外ファンが前記熱交換室内の空気を吸い出すことにより、前記室外熱交換器を通って前記熱交換室に外気が取り込まれる構成とし、
前記室外熱交換器は、複数の長板状のフィンを所定間隔で並べたフィン・アンド・チューブ型の構成を有し、少なくとも一部の前記フィンには、前記フィンの幅方向に延びて前記室外熱交換器を通る外気を整流する整流板が、隣接する前記フィンとの間に突出して形成されたこと、
を特徴とする室外ユニット。
【請求項２】
前記室外ファンの吹き出し方向は、前記室外熱交換器の前記フィンの長手方向と一致する方向であること、
を特徴とする請求項１記載の室外ユニット。
【請求項３】
前記整流板は、前記フィンの中心よりも前記室外ファンから離れた側に設けられたこと、
を特徴とする請求項１または２記載の室外ユニット。
【請求項４】
各々の前記フィンにおいて、前記整流板は、前記フィンの長手方向に並ぶように複数形成され、
前記室外ファンから離れるにしたがって、隣接する前記整流板どうしの間隔が小さくなるよう構成されたこと、
を特徴とする請求項２記載の室外ユニット。
【請求項５】
前記室外ユニットはガスエンジン駆動式の圧縮機を備え、
前記ガスエンジンの冷却水が流れるラジエータが、前記室外熱交換器の下流側に並べて配設され、
前記ラジエータは複数のフィンを所定間隔で並べた構成を有し、このラジエータのフィンには前記整流板を設けないこと、
を特徴とする請求項１から４のいずれかに記載の室外ユニット。
【請求項６】
前記整流板は、薄板状の前記フィンの一部を切り起こして形成されたこと、
を特徴とする請求項１から５のいずれかに記載の室外ユニット。
【発明の詳細な説明】
【技術分野】
【０００１】
本発明は、空気調和装置の室外ユニットに関する。
【背景技術】
【０００２】
従来、空気調和装置の室外ユニットにおいて、室外熱交換器を通して空気を吸い込む羽根車を備え、室外熱交換器から気流が吹き出す方向を、羽根車が誘導する空気の吹き出し方向に合わせることにより、羽根車に流入する空気の流れをスムーズにし、空気の摩擦音を低減したものがある（例えば、特許文献１参照）。
また、空気調和装置の室外ユニットにおいて、室外熱交換器の伝熱管の径を、室外熱交換器を通る気流の速さに応じて変えることで、気流の風速分布の均一化による熱交換性能の向上を図ったものがある（例えば、特許文献２参照）。
【特許文献１】特開２００５−１９５２１８号公報
【特許文献２】特開２００１−３３６７８６号公報
【発明の開示】
【発明が解決しようとする課題】
【０００３】
ところで、空気調和装置の室外ユニットにおいては、室外熱交換器を通過する熱媒体としての外気を、室外熱交換器に対して垂直に通すこと、すなわち、外気が室外熱交換器の内部を最短距離で通過することが理想的である。これは、温度差が大きく熱交換性の高い外気が効率良く室外熱交換器を通るため、熱交換性能の向上が期待できるためである。
しかしながら、室外熱交換器と空気を流すファンとの位置関係によっては、外気が室外熱交換器を最短距離で通過せず、より長い距離で室外熱交換器を通り抜けることがある。この場合、すでに熱交換された外気がより長い時間をかけて室外熱交換器を通過することになり、熱交換のロスが大きくなることが考えられ、改善することが好ましい。
【０００４】
本発明は、上述した事情に鑑みてなされたものであり、空気調和装置の室外ユニットにおいて、室外熱交換器を通過する外気の流れを好ましい向きにすることで、室外ユニットの熱交換性能の向上を図ることを目的とする。
【課題を解決するための手段】
【０００５】
上述課題を解決するため、本発明は、室外熱交換器と室外ファンとを有する熱交換室を備えた空気調和装置の室外ユニットにおいて、前記室外熱交換器を前記熱交換室の側面に配設し、前記室外ファンが前記熱交換室内の空気を吸い出すことにより、前記室外熱交換器を通って前記熱交換室に外気が取り込まれる構成とし、前記室外熱交換器は、複数の長板状のフィンを所定間隔で並べたフィン・アンド・チューブ型の構成を有し、少なくとも一部の前記フィンには、前記フィンの幅方向に延びて前記室外熱交換器を通る外気を整流する整流板が、隣接する前記フィンとの間に突出して形成されたことを特徴とする室外ユニットを提供する。
この構成によれば、室外ファンが熱交換室内の空気を吸い出すことにより熱交換室に流入する外気が室外熱交換器を通過する際に、フィンの間に突出して形成された整流板によって整流される。この整流板はフィンの幅方向に延びているため、室外熱交換器を通過する外気を、室外熱交換器内をほぼ最短距離で通過するように整流できる。これにより、外気が効率良く室外熱交換器を通過するため、室外ユニットの熱交換性能を向上できる。
【０００６】
上記構成において、前記室外ファンの吹き出し方向は、前記室外熱交換器の前記フィンの長手方向と一致する方向であるものとしてもよい。
この場合、室外熱交換器を通る外気が室外ファンの吹き出し方向の影響を受けて室外熱交換機の長手方向に流れることで、外気が室外熱交換器を通過する経路が長くなる可能性があるが、室外熱交換器のフィンの幅方向に延びる整流板により、外気の流れを、室外熱交換器内をほぼ最短距離で通過するように整流できる。これにより、室外ユニットの熱交換性能を、効果的に向上できる。
【０００７】
また、上記構成において、前記整流板は、前記フィンの中心よりも前記室外ファンから離れた側に設けられた構成としても良い。
この構成によれば、室外ファンから離れた側、すなわち、外気が好ましくない方向に流れやすい場所において、室外熱交換器に進入する外気を効率良く整流し、室外ユニットの熱交換性能の向上を図ることができる。また、フィンの全体に整流板を設ける場合に比べて整流板の数を減らすことができ、低コスト化及び工数の低減を図ることができる。
【０００８】
また、各々の前記フィンにおいて、前記整流板は、前記フィンの長手方向に並ぶように複数形成され、前記室外ファンから離れるにしたがって、隣接する前記整流板どうしの間隔が小さくなるよう構成されたものとしても良い。
この場合、室外ファンから離れるにしたがって整流板の間隔が小さくなるので、室外ファンによる空気の吸い出し方向の影響を受けやすく、外気が好ましくない方向に流れやすい場所において密に整流板を配置し、効果的に外気を整流して、室外ユニットの熱交換性能の向上を図ることができる。
【０００９】
また、前記室外ユニットはガスエンジン駆動式の圧縮機を備え、前記ガスエンジンの冷却水が流れるラジエータが、前記室外熱交換器の下流側に並べて配設され、前記ラジエータは複数のフィンを所定間隔で並べた構成を有し、このラジエータのフィンには前記整流板を設けない構成としても良い。
この場合、室外熱交換器を通過した外気をガスエンジンのラジエータに通過させて、室外ファンの送風により、室外熱交換器における冷媒の熱交換とガスエンジンの冷却水の熱交換とを行わせる場合に、室外熱交換器に設けた整流板によって室外熱交換器とラジエータとを通過する外気を整流し、この外気をほぼ最短距離で室外熱交換器とラジエータとを通過させることで、室外熱交換器及びラジエータの両方における熱交換性能の向上を図ることができる。また、ラジエータが室外熱交換器の下流側に並んで位置しているため、ラジエータのフィンに整流板を設けなくても外気が好ましい方向で流れるので、ラジエータの構成を複雑化することなく、熱交換効率を向上させることができる。
【００１０】
さらに、前記整流板は、薄板状の前記フィンの一部を切り起こして形成されても良い。
この場合、薄板状のフィンの一部を切り起こして容易に整流板を形成し、室外ユニットの熱交換性能を向上させることができる。
【発明の効果】
【００１１】
本発明によれば、空気調和装置の室外ユニットにおいて、室外熱交換器を通過する外気を、室外熱交換器内をほぼ最短距離で効率良く通過するように整流することで、室外ユニットの熱交換性能を向上させることができる。
【発明を実施するための最良の形態】
【００１２】
以下、本発明の実施の形態を添付の図面を参照しながら説明する。
図１は、本発明の実施の形態に係る空気調和装置１の冷媒回路図である。
この図１に示すように、空気調和装置１は、室外ユニット１０と、室内機１１ａ，１１ｂとを備えており、これら室外ユニット１０と室内機１１ａ，１１ｂが冷媒配管１２を介して接続されている。
【００１３】
室外ユニット１０の冷媒配管１２には圧縮機１６が接続されている。圧縮機１６は、Ｖベルトを介してガスエンジン３０により駆動されるものであり、吸込側にはアキュムレータ１７が、吐出側にはオイルセパレータ１７ａを介して四方弁１８がそれぞれ配設されている。四方弁１８から延びる冷媒配管１２には、２台の室外熱交換器１９ａ，１９ｂ、室外膨張弁２４が順次接続されている。また、室外膨張弁２４をバイパスする冷媒系バイパス管２６が配設されており、この冷媒系バイパス管２６には、冷媒の逆流を防止する逆止弁２６ａが設けられている。室外熱交換器１９ａ，１９ｂの近傍には、室外熱交換器１９ａ，１９ｂに外気を流す室外ファン２０ａ，２０ｂが配置されている。符号２９は、圧縮機１６の吐出側の冷媒圧力を圧縮機１６の吸込側へ逃す安全弁である。符号５２、５３は、冷媒の流れを遮断する閉鎖弁である。
【００１４】
圧縮機１６を駆動するガスエンジン３０には、ガスエンジン３０に冷却水を循環させてガスエンジン３０の熱を回収するためのエンジン冷却装置４１が設けられており、エンジン冷却装置４１には、冷却水が流れる冷却水配管４２に配管接続される電動クーラ三方弁４３が設けられている。
電動クーラ三方弁４３の２つの出口の一方には、循環ポンプ４４と排ガス熱交換器（図示略）とが順次配管接続されており、電動クーラ三方弁４３、循環ポンプ４４及び排ガス熱交換器をつなぐ配管経路によって、ガスエンジン３０を通過した冷却水をガスエンジン３０に戻す経路が形成されている。ここで、排ガス熱交換器は、ガスエンジン３０の排気ガスと冷却水との間で熱交換を行う熱交換器である。
【００１５】
また、電動クーラ三方弁４３の他方の出口には、冷却水三方弁４８の入口が配管接続されている。冷却水三方弁４８の一方の出口には、プレート式熱交換器４９の一端が配管接続され、また、冷却水三方弁４８の他方の出口には、ラジエータ５０ａ，５０ｂの一端が配管接続されている。ここで、プレート式熱交換器４９は、冷媒配管１２内の冷媒と冷却水配管４２内の冷却水との間で熱交換を行う熱交換器である。また、ラジエータ５０ａ，５０ｂは、その内部を通過するガスエンジン３０の冷却水と外気との間で熱交換を行う。
【００１６】
また、室外ユニット１０は、圧縮機１６の駆動の制御や、各弁の開閉状態の制御、室外ファン２０ａ，２０ｂの駆動の制御等、空気調和装置１の各部を制御する制御部２５を備えている。
【００１７】
一方、２台の室内機１１ａ，１１ｂは、それぞれ異なる被調和室に設けられている。室内機１１ａ，１１ｂは、それぞれ、室内膨張弁２７ａ，２７ｂ、室内熱交換器２８ａ，２８ｂ、及び、室内ファン２３ａ，２３ｂを備え、室内熱交換器２８ａ，２８ｂにより熱交換された空気が、室内ファン２３ａ，２３ｂによって被調和室に送風される。
【００１８】
上記のように構成される空気調和装置１において、暖房運転が開始されると、図１の実線矢印の方向に冷媒が流れ、圧縮機１６から吐出された高温の冷媒は、冷媒配管１２及び四方弁１８を経由して室内熱交換器２８ａ，２８ｂに流入し、室内ファン２３ａ，２３ｂにより送風される室内空気に対して熱交換を行って被調和室を暖房した後、冷媒配管１２を通って室外ユニット１０側に流入する。そして、冷媒は、室外熱交換器１９ａ，１９ｂにおいて蒸発して、冷媒配管１２及び四方弁１８を経由してプレート式熱交換器４９に流入し、ガスエンジン３０の冷却水と熱交換して、その後、アキュムレータ１７を経て、圧縮機１６の吸い込み側管路に戻る。
【００１９】
一方、空気調和装置１において、冷房運転が開始されると、図１の破線矢印で示すように、圧縮機１６から吐出された冷媒は、冷媒配管１２から四方弁１８を通って室外ユニット１０の側に流入し、室外熱交換器１９ａ，１９ｂに流入して凝縮される。凝縮された液体の冷媒は冷媒配管１２を通って、室内機１１ａ，１１ｂ側の室内膨張弁２７ａ，２７ｂにより膨張され、室内熱交換器２８ａ，２８ｂにおいて蒸発し、室内ファン２３ａ，２３ｂにより送風された室内空気に対して熱交換を行って被調和室の冷房を行う。その後、冷媒は、冷媒配管１２から四方弁１８を経由してアキュムレータ１７を通り、圧縮機１６の吸い込み側管路に戻る。
【００２０】
また、ガスエンジン３０を冷却して高温となった冷却水は、循環ポンプ４４により送出され、電動クーラ三方弁４３、冷却水三方弁４８及び冷却水配管４２を経由してラジエータ５０ａ，５０ｂに達し、ラジエータ５０ａ，５０ｂにおいて外気と熱交換して冷却され、その後、冷却水配管４２を通って循環ポンプ４４に流入する。
さらに、暖房運転時は、ガスエンジン３０を冷却して高温となった冷却水が冷却水三方弁４８を経てプレート式熱交換器４９に流れ、ここで冷媒回路を流れる冷媒と熱交換し、冷媒を加熱して、再び循環ポンプ４４に流入する。
【００２１】
図２は、室外ユニット１０の正面図である。図３は、室外ユニット１０の縦断面視図である。ここで、図２及び図３においては、後述する熱交換室６０を覆うパネルが取り外された状態を示している。
室外ユニット１０は、図２及び図３に示すように、略直方体形状に形成され、室外ユニット１０の外側部分を構成する筐体６１を備えている。筐体６１には、その高さ方向における略中央部に、水平方向に延びる中央横フレーム６２が配設されている。中央横フレーム６２には、水平方向に延びる仕切板（図示略）が固定され、この仕切板によって、筐体６１の内部が上下段に仕切られている。筐体６１の下段には、上述した圧縮機１６、ガスエンジン３０、アキュムレータ１７、四方弁１８、及び、プレート式熱交換器４９などを備えた機械室６３が形成され、上段には熱交換室６０が形成されている。
【００２２】
熱交換室６０の上面６５には２つの通風孔６７ａ，６７ｂが並べて設けられ、通風孔６７ａの直下には室外ファン２０ａが配置され、通風孔６７ｂの直下には室外ファン２０ｂが配置され、これら室外ファン２０ａ，２０ｂによって通風孔６７ａ，６７ｂから吹き出し送風が行われる。図３に示すように、室外ファン２０ａ，２０ｂは、モータ２２と、このモータ２２の出力軸に設けられた羽根２１とを備え、図３中において上向きに送風する。
【００２３】
また、熱交換室６０には、室外熱交換器１９ａ，１９ｂ、ラジエータ５０ａ，５０ｂが配設され、室外ファン２０ａ，２０ｂによって熱交換室６０内の空気を吸い出すことにより、室外熱交換器１９ａ，１９ｂ及びラジエータ５０ａ，５０ｂを通って外気が熱交換室６０に吸い込まれ、この室外熱交換器１９ａ，１９ｂ及びラジエータ５０ａ，５０ｂを通る外気によって冷媒及びガスエンジン３０の冷却水が熱交換される。
すなわち、空気調和装置１の冷房運転時、熱交換室６０に流入する外気は、凝縮器として機能する室外熱交換器１９ａ，１９ｂにおいて冷媒から熱を奪い、次にラジエータ５０ａ，５０ｂにおいて冷媒よりも高温の冷却水を冷却する。また、空気調和装置１の暖房運転時、熱交換室６０に流入する外気は、蒸発器として機能する室外熱交換器１９ａ，１９ｂにおいて冷媒に熱を与え、次に、ラジエータ５０ａ，５０ｂにおいて、冷却水を冷却する。
【００２４】
室外熱交換器１９ａ，１９ｂは板状の熱交換器であり、各々が熱交換室６０の一側面を構成するように設けられて、熱交換室６０の両側面を構成している。つまり、図２に示した正面視に現れる熱交換室６０の前面、および熱交換室６０の背面は、それぞれ、室外熱交換器１９ａ，１９ｂにより構成されている。室外熱交換器１９ａ，１９ｂの各々には、機械室６３から延出する冷媒配管１２がそれぞれ接続されている。
なお、図２中において符号Ｘで示す２点鎖線は、室外熱交換器１９ａ，１９ｂの高さ方向の中心を示している。
ラジエータ５０ａ，５０ｂは、室外熱交換器１９ａ，１９ｂと略同一の大きさの吸込み面を有する板状の熱交換器である。ラジエータ５０ａ，５０ｂの各々には、機械室６３から延出する冷却水配管４２がそれぞれ接続されている。ラジエータ５０ａ，５０ｂは、それぞれ、熱交換室６０における室外熱交換器１９ａ，１９ｂの内側に重ねて配設されている。
上述したように室外ファン２０ａ，２０ｂは熱交換室６０内から外気を吸い出し、これによって熱交換室６０の側面から外気が取り込まれるので、熱交換室６０に外から流入する外気の流れにおいて、ラジエータ５０ａ，５０ｂは、室外熱交換器１９ａ，１９ｂの下流側に並んで位置することになる。
【００２５】
図４は、室外熱交換器１９ａ，１９ｂの正面視における要部拡大図である。
室外熱交換器１９ａ，１９ｂは、冷媒が流れるチューブ８１の周りに、伝熱板である薄板状のフィン８２が配置されたフィン・アンド・チューブ型の熱交換器である。室外熱交換器１９ａ，１９ｂの両端には、それぞれチューブ８１を支持する構造体としてのエンドプレート８３が配設されている。チューブ８１は、両端のエンドプレート８３の各々に支持されて略水平に延在し、室外熱交換器１９ａ，１９ｂの高さ方向に並んで複数設けられている。また、室外熱交換器１９ａ，１９ｂを側面から見た場合、その厚み方向に４列のチューブ８１が並んでいる。
また、図３に示すように、室外熱交換器１９ａ，１９ｂに重ねて配置されるラジエータ５０ａ，５０ｂは、冷却水が流れる冷却水チューブと、この冷却水チューブの周囲に接続された長板状のフィンとを備えるフィン・アンド・チューブ型の構成を有する。ラジエータ５０ａ，５０ｂを側面から見た場合、その厚み方向に、１列の冷却水チューブが並んでいる。従って、熱交換室６０に流入する外気の流れる方向には、ラジエータ５０ａ，５０ｂの１列の冷却水チューブと、室外熱交換器１９ａ，１９ｂの４列のチューブ８１とが並んでいる。
【００２６】
フィン８２は、室外熱交換器１９ａ，１９ｂの幅方向に、所定間隔をあけて複数並べて設けられている。フィン８２は、エンドプレート８３と平行に設けられる長板状のフィンであり、チューブ８１が延在する方向、すなわち室外熱交換器１９ａ，１９ｂの幅方向に並び、隣接するフィン８２の間隔は等ピッチである。熱交換室６０に流入する外気は、室外熱交換器１９ａ，１９ｂのフィン８２の間を通って流入し、フィン８２及びチューブ８１との間で熱交換する。
【００２７】
図５は、フィン８２の一部を示す斜視図である。
図中、フィン８２の端部８２ｂは、室外熱交換器１９ａ，１９ｂの外側の面、すなわち図３において熱交換室６０の外側に相当する端部である。これに対し、端部８２ｃは、室外熱交換器１９ａ，１９ｂの内側の面に相当する端部であり、この端部８２ｃの側にはラジエータ５０ａ，５０ｂが位置している。
フィン８２にはチューブ８１が挿通されるチューブ孔８２ａが複数形成されており、このチューブ孔８２ａにチューブ８１を圧入することで、チューブ８１とフィン８２との間の伝熱性が確保される。
本実施形態では、４列のチューブ８１を通すために、フィン８２の幅方向に千鳥状に４列に並ぶチューブ孔８２ａが形成されている。また、フィン８２の高さ方向において、チューブ孔８２ａは、等しいピッチで並ぶ多段をなしており、各段に２つのチューブ孔８２ａが並んでいる。
【００２８】
そして、フィン８２には、室外熱交換器１９ａ，１９ｂを通る外気を整流する整流板８４が形成されている。整流板８４は、フィン８２の幅方向のほぼ全体にわたって形成され、隣接するフィン８２との間に突出し、ほぼ水平に延びている。整流板８４は、例えば、フィン８２に切り込みを入れて折り曲げることで形成される。
整流板８４は、チューブ孔８２ａを避けるため、フィン８２の高さ方向においてチューブ孔８２ａが構成する各段の間に形成され、図５に示すような多段の構成となっている。
上述したように室外熱交換器１９ａ，１９ｂを厚み方向に通過する外気は、端部８２ｂから流入し、端部８２ｃから流出する。整流板８４は、この外気の流れを、図５において矢印Ｗで示すように整流する。これにより、外気の流れは、室外熱交換器１９ａ，１９ｂを最短距離で通過するように流れ、図示しないラジエータ５０ａ，５０ｂにおいても同様に最短距離で通過するように流れる。
また、整流板８４は、フィン８２の高さ方向の中央よりも室外ファン２０ａ，２０ｂから離れた側、すなわち、図２中の中心線Ｘよりも下方の部分に形成されている。
【００２９】
ここで、整流板８４は、図５に示すように、フィン８２の板面の一部を切り起こして形成されており、整流板８４を形成するために部品点数を増やす必要がなく、容易に形成できる。また、フィン８２は薄板であるため簡単にプレス加工でき、チューブ孔８２ａをプレス加工により打ち抜いて形成する際に、整流板８４をプレス加工により形成することができ、整流板８４を容易に形成できる。
【００３０】
以下、図３を参照して、室外熱交換器１９ａ，１９ｂ、及び、ラジエータ５０ａ，５０ｂを通る外気の流れについて説明する。
室外ファン２０ａ，２０ｂによって熱交換室６０から空気が吸い出されると、図３の矢印Ｅ，Ｆ，Ｇ，Ｈに示すように、外気が室外熱交換器１９ａ，１９ｂ、及び、ラジエータ５０ａ，５０ｂを通って熱交換室６０に取り込まれる。この外気は、まず室外熱交換器１９ａ，１９ｂの内部を通り、続いて下流側のラジエータ５０ａ，５０ｂの内部を通る。
【００３１】
ここで、室外ファン２０ａ，２０ｂが空気を吹き出す方向と、熱交換室６０に外気が流入する方向とは、図３に明らかなように直交している。つまり、矢印Ｅ，Ｆ，Ｇ，Ｈに示すように、ほぼ水平方向に熱交換室６０に流入した外気は、熱交換室６０内で上向きに転向して、室外ファン２０ａ，２０ｂによって送風される。
このため、室外ファン２０ａ，２０ｂによる吸い出し方向の影響を受けて、外気が室外熱交換器１９ａ，１９ｂの中を通過する間に、上向きに流れようとする現象が生じることがある。この現象は、室外ファン２０ａ，２０ｂから離れるにつれて、より起きやすくなり、室外ファン２０ａ，２０ｂに近い矢印Ｅ，Ｆの位置よりも矢印Ｇ，Ｈの位置で起きやすい。
【００３２】
ところが本来、室外ユニット１０においては、熱媒体としての外気が室外熱交換器１９ａ，１９ｂを最短距離で通過することが望ましい。これは、外気が短時間で室外熱交換器１９ａ，１９ｂを通過すれば、室外熱交換器１９ａ，１９ｂとの温度差が大きく熱交換性の高い外気が短時間で多量に供給されることになるので、高い熱交換性能が期待できるためである。また、本実施形態の室外ユニット１０のように、室外熱交換器１９ａ，１９ｂの下流側にラジエータ５０ａ，５０ｂが配設されている場合、外気がラジエータ５０ａ，５０ｂの内部を最短距離で通過するようにすれば、室外熱交換器１９ａ，１９ｂだけでなくラジエータ５０ａ，５０ｂにおいても熱交換性能を高める効果が期待できる。
【００３３】
本実施形態の室外ユニット１０においては、図５に示したように室外熱交換器１９ａ，１９ｂに整流板８４を形成することにより、図５中に符号Ｗで示す方向に外気を整流する。つまり、熱交換室６０に流入する外気を、図３においてほぼ水平に流れるように整流する。この外気の流れは室外熱交換器１９ａ，１９ｂの内部を最短距離で通過する方向であり、上記のように熱交換効率の向上が期待できる。
【００３４】
さらに、ラジエータ５０ａ，５０ｂは室外熱交換器１９ａ，１９ｂの下流側に並べて配設され、外気の流通方向において室外熱交換器１９ａ，１９ｂと重なっている。このため、室外熱交換器１９ａ，１９ｂの整流板８４により整流された外気は、その整流された方向をほぼ保ったまま、ラジエータ５０ａ，５０ｂの内部を最短距離で通過するので、ラジエータ５０ａ，５０ｂにおいても上記のように熱交換効率の向上が期待できる。さらに、ラジエータ５０ａ，５０ｂに整流板８４を設けなくても十分な効果が得られるので、ラジエータ５０ａ，５０ｂの製造時における工数の増加等を招くことがない。本実施形態では、ラジエータ５０ａ，５０ｂと室外熱交換器１９ａ，１９ｂとの間の距離は、図３に明らかなように非常に小さく、ラジエータ５０ａ，５０ｂ及び室外熱交換器１９ａ，１９ｂの厚みより短いので、上記の効果がより顕著に現れる。
【００３５】
さらに、本実施の形態では、室外熱交換器１９ａ，１９ｂにおいて、フィン８２の長手方向の中心（図２中の中心線Ｘ）よりも下方の部分に整流板８４が形成されており、室外ファン２０ａ，２０ｂからより離れた位置において、外気の流れを整流する。つまり、上述したように、室外熱交換器１９ａ，１９ｂの内部で上向きに外気が流れやすい場所で、外気の流れを水平方向に整流することによって、より少数の整流板８４によって、効果的に外気を整流し、外気が室外熱交換器１９ａ，１９ｂ内を最短距離で通過するという理想的な状態を、効率よく実現する。
【００３６】
このように、フィン８２に整流板８４を設けることにより、外気が最短距離で室外熱交換器１９ａ，１９ｂを通過するようにでき、室外熱交換器１９ａ，１９ｂの熱交換性能を向上させることができる。従って、室外ユニット１０において、冷房運転時は、冷媒を効率良く凝縮でき、また、暖房運転時は、冷媒を効率よく蒸発できるため、室外ユニット１０の運転効率を向上させることができる。また、室外熱交換器１９ａ，１９ｂの効率が向上するため、効率を維持しつつ室外熱交換器１９ａ，１９ｂを小型化することもできる。
【００３７】
また、図４に示すように、フィン８２において切り起こしにより形成された整流板８４の先端は、隣接するフィン８２に接するか、極めて接近するところまで達している。このため、整流板８４を乗り越えるような外気の流れや整流板８４から逸れた方向への流れが起きにくく、高い整流効果が期待できる。
さらに、整流板８４の先端が隣接するフィン８２に接する場合、すなわち整流板８４の高さがフィン８２のピッチと等しい場合、室外熱交換器１９ａ，１９ｂの製造時においてフィン８２を並べる際に、整流板８４を、フィン８２を等ピッチで並べるためのガイドとして利用できるという利点がある。
【００３８】
以上説明したように、本発明を適用した実施の形態によれば、室外ファン２０ａ，２０ｂが熱交換室６０内の空気を吸い出すことにより熱交換室６０に流入する外気が室外熱交換器１９ａ，１９ｂを通過する際に、フィン８２の間に突出して形成された整流板８４によって整流される。整流板８４はフィン８２の幅方向に延びているため、室外熱交換器１９ａ，１９ｂの内部を通過する外気を、室外熱交換器１９ａ，１９ｂ内をほぼ最短距離で通過するように整流できる。これにより、外気が効率良く室外熱交換器１９ａ，１９ｂを通過するため、室外ユニット１０の熱交換性能を向上できる。
【００３９】
また、室外ファン２０ａ，２０ｂの吹き出し方向は、室外熱交換器１９ａ，１９ｂのフィン８２の長手方向と一致しているため、室外熱交換器１９ａ，１９ｂを通過する外気の流れと室外ファン２０ａ，２０ｂの吹き出し方向とが直交し、外気が室外熱交換器１９ａ，１９ｂを通過する経路が長くなり得る構成において、フィン８２の幅方向に延びる整流板８４により、外気の流れを、室外熱交換器１９ａ，１９ｂ内をほぼ最短距離で通過するように整流できる。これにより、室外ユニット１０の熱交換性能を、効果的に向上できる。
また、整流板８４を中心線Ｘより下方に設けることで、室外ファン２０ａ，２０ｂから離れていて、外気が室外熱交換器１９ａ，１９ｂ内を上向きに流れやすい場所において、外気を効率良く整流して室外ユニット１０の熱交換性能の向上を図ることができる。また、フィン８２の全体に整流板８４を設ける場合に比べて整流板８４の数を減らすことができ、低コスト化及び工数の低減を図ることができる。
【００４０】
また、フィン・アンド・チューブ型の室外熱交換器１９ａ，１９ｂとラジエータ５０ａ，５０ｂとを重ねて配置した構成とし、室外熱交換器１９ａ，１９ｂのフィン８２に整流板８４を設ける一方で、ラジエータ５０ａ，５０ｂを構成するフィンには整流板を設けないので、室外熱交換器１９ａ，１９ｂ及びラジエータ５０ａ，５０ｂの両方において外気が最短距離で通過するよう整流して、室外熱交換器１９ａ，１９ｂ及びラジエータ５０ａ，５０ｂの両方における熱交換効率の向上を図ることができる。また、ラジエータ５０ａ，５０ｂに整流板を設ける必要がないため、ラジエータ５０ａ，５０ｂを簡単な構成にでき、ラジエータ５０ａ，５０ｂの製造工数の増加やコスト増を伴わずに性能向上を図ることができる。
さらに、加工が簡単な薄板状のフィン８２の一部を切り起こして容易に整流板８４を形成し、室外ユニット１０の熱交換性能を向上できる。
【００４１】
なお、上記実施の形態は本発明を適用した一態様を示すものであって、本発明は上記実施の形態に限定されない。
例えば、上記実施の形態において、整流板８４は、フィン８２の長手方向の中心よりも下方において、フィン８２の長手方向に等ピッチで複数並んで形成されているものと説明した。本願発明はこれに限定されるものではなく、室外ファン２０ａ，２０ｂから離れるにしたがって、隣接する整流板８４どうしの間隔が小さくなるようにしても良い。
【００４２】
上述のように、室外熱交換器１９ａ，１９ｂを通る外気が、室外ファン２０ａ，２０ｂによる吸い出し方向の影響を受けて、室外熱交換器１９ａ，１９ｂの内部を斜め上方に通過しようとする傾向は、室外ファン２０ａ，２０ｂからの距離が遠いほど強くなる。
このため、室外ファン２０ａ，２０ｂから離れるにしたがって、隣接する整流板８４どうしの間隔が小さくなるように、言い換えれば、室外ファン２０ａ，２０ｂから離れるにつれて整流板８４の密度が高くなるような構成としてもよい。具体的には、室外熱交換器１９ａ，１９ｂにおいて、室外ファン２０ａ，２０ｂからの距離が遠い下部に形成される整流板８４のピッチを小さくして整流板８４を密に配置し、室外熱交換器１９ａ，１９ｂの上部に行くにしたがって整流板８４のピッチを大きくして整流板８４を粗に配置する。
このような構成では、室外ファン２０ａ，２０ｂから離れるにしたがって整流板８４の間隔が小さくなるので、室外熱交換器１９ａ，１９ｂの内部において外気が上向きに流れやすい場所において密に整流板８４を配置し、外気を整流する性能を高くすることで、効果的に外気を整流して、室外ユニット１０の熱交換性能の向上を図ることができる。
【００４３】
また、上記実施の形態では、整流板８４は、フィン８２の長手方向の中心線Ｘよりも室外ファン２０ａ，２０ｂから離れた側に形成するものとして説明したが、本発明はこれに限定されるものではなく、例えば、中心線Ｘよりも上方にも整流板８４を形成し、室外熱交換器１９ａ，１９ｂの長手方向の全体に亘り整流板８４を形成しても良い。
また、整流板８４は、室外熱交換器１９ａ，１９ｂに形成するものとして説明したが、ラジエータ５０ａ，５０ｂにも整流板を形成し、外気がラジエータ５０ａ，５０ｂを最短距離で通過するようにしても良い。また、整流板８４は、フィン８２の幅方向に水平に延びるものとして説明したが、室外熱交換器１９ａ，１９ｂを通る外気をできるだけ短距離で通過するように整流するものであれば、水平方向に限らず、傾斜していても良い。さらに、整流板８４は、フィン８２の幅方向のほぼ全体にわたって形成されるものとして説明したが、これに限らず、例えば、フィン８２の幅方向の半分程度や、それ以下の長さであってもよく、このような短い整流板８４を水平方向に複数並べて形成してもよい。また、上記実施形態では、図４に示すように全てのフィン８２において同じ高さ位置に整流板８４が形成されるものとして説明したが、各々のフィン８２において、整流板８４を形成する高さが異なっていてもよい。
さらに、整流板８４は、フィン８２の板面の一部を切り起こして形成されるものとして説明したが、整流板８４を別途形成してフィン８２に接合しても良い。この場合、フィン８２の表面積が増加し、熱交換性能の向上が期待できる。また、空気調和装置１のその他の細部構成についても任意に変更可能であることは勿論である。
【図面の簡単な説明】
【００４４】
【図１】本発明の一実施の形態に係る空気調和装置の回路図である。
【図２】室外ユニットの正面図である。
【図３】室外ユニットの縦断面視図である。
【図４】室外熱交換器の正面視における要部拡大図である。
【図５】フィンの一部を示す斜視図である。
【符号の説明】
【００４５】
１  空気調和装置
１０  室外ユニット
１１ａ，１１ｂ  室内機
１６  圧縮機
１９ａ，１９ｂ  室外熱交換器
２０ａ，２０ｂ  室外ファン
３０  ガスエンジン
５０ａ，５０ｂ  ラジエータ
６０  熱交換室
８１  チューブ
８２  フィン
８４  整流板
【図１】
2009275991.tif 000003
【図２】
2009275991.tif 000004
【図３】
2009275991.tif 000005
【図４】
2009275991.tif 000006
【図５】
2009275991.tif 000007